(57)【要約】【課題】  各メーカごとに２つの穴間距離が異なるホイルナットに対し、ソケットを別のメーカ用のものと交換せずにインパクトドライバ装着済みのソケットに装着するのみで別メーカのホイルナットを取り外し可能にする先端工具を提供すること。【解決手段】  携帯用工具のナット取り外し用ソケットに着脱可能であって、本体に、該本体から一部が突出する係止部材を挿入保持して構成される先端工具において、前記本体に貫通する穴部を４箇所形成し、該穴部の一方２箇所に前記係止部材を挿入して係止するとともに、その先端部を本体から突出させ、該穴部のその他一方２箇所に前記ソケットから突出しているピンを挿入可能とする。【選択図】  図３
2016168656.tif 000002
【特許請求の範囲】
【請求項１】
一方の面から所定の間隔を有して突出する一対の突出部と、他方の面に前記所定の間隔と異なる間隔を有して形成された一対の係合部を備えたナット取り外し用ソケットアダプタ。
【請求項２】
前記一対の突出部は、一方の面に挿入されるピン部材を備えることを特徴とする請求項１に記載のナット取り外し用ソケットアダプタ。
【請求項３】
前記ピン部材は、前記一対の係合部と軸方向に重なった位置とされることを特徴とする請求項２に記載のナット取り外し用ソケットアダプタ。
【請求項４】
前記一対の突出部は、前記一対の係合部と周方向に異なった位置とされることを特徴とする請求項１乃至３の何れか一項に記載のナット取り外し用ソケットアダプタ。
【請求項５】
少なくとも前記他方の面に磁束を発生することを特徴とする請求項１乃至４の何れか一項に記載のナット取り外し用ソケットアダプタ。
【請求項６】
少なくとも前記他方の面が磁性材料からなり、着磁されていることを特徴とする請求項５に記載のナット取り外し用ソケットアダプタ。
【請求項７】
永久磁石を内部に保持することを特徴とする請求項５に記載のナット取り外し用ソケットアダプタ。
【請求項８】
請求項１乃至７の何れか一項に記載のナット取り外し用ソケットアダプタと、前記ナット取り外し用ソケットアダプタの前記係合部と係合可能な一対の突出部を有する本体部を備えることを特徴とするナット取り外し用ソケット。
【請求項９】
前記ソケットアダプタの前記係合部は所定の内径を有し、前記本体部の突出部の外径より大きく形成されていることを特徴とする請求項８に記載のナット取り外し用ソケット。
【請求項１０】
前記ナット取り外し用ソケットアダプタの少なくとも前記他方の面と、前記本体部の前記ナット取り外し用ソケットアダプタ側の面の何れか一方に、抜け止め手段を備えていることを特徴とする請求項８又は９に記載のナット取り外し用ソケット。
【請求項１１】
請求項１乃至７の何れか一項に記載のナット取り外し用ソケットアダプタの他方の面に装着可能とされ、少なくとも前記装着面に前記他方の面に発生する磁束により吸着される磁性材料を備えることを特徴とするナット取り外し用ソケット本体部。
【発明の詳細な説明】
【技術分野】
【０００１】
本発明は、携帯用工具に着脱可能に装着して使用される、ナット取り外し用ソケットアダプタ、それを備えたソケット、及びナット取り外し用ソケットアダプタに装着される本体部に関するものである。
【背景技術】
【０００２】
電動モータ等を駆動源としてコンクリートやタイル等を切断する携帯用工具の一形態として、ディスクグラインダの回転軸に円板状のダイヤモンドカッターを結合して使用されることがある。ダイヤモンドカッターは、ホイルナットと呼ばれる端面に穴部が形成されたナットを用いて取り付けられ、また、このようなホイルナットを一体に備えたダイヤモンドカッターも市場に存在する。この場合、ダイヤモンドカッターのディスクグラインダに対する着脱は、ホイルナットに形成された４つの穴部の例えば２つに嵌合するピンを備えたピン付スパナを用いてホイルナットを手動で回すことによってなされていた。
【０００３】
ところが、ホイルナットはディスクグラインダに締り勝手に（回転方向に締るように）締め付けられているため、ダイヤモンドカッターを回転駆動して切断作業を進めていくと、ホイルナットの締付トルクが大きくなり、ダイヤモンドカッターを取り外す場合にピン付スパナでホイルナットを手動で緩めることが困難となる場合があった。
【０００４】
そこで、引用文献１に示されるように、先端工具としてのホイルナット取り外し用ソケットをインパクトドライバの先端工具保持部に装着し、ホイルナット取り外し用ソケットに突設された２本のピンをホイルナットの穴部に嵌合させ、一方の手（左手）でディスクグラインダを持ち、他方の手（右手）でインパクトドライバを持って該インパクトドライバを駆動し、インパクトドライバの回転打撃力をホイルナット取り外し用ソケットからホイルナットに伝達して該ホイルナットを緩めることが作業現場で行われている。
【先行技術文献】
【特許文献】
【０００５】
【特許文献１】特開２００８−２８４６５０号公報
【発明の概要】
【発明が解決しようとする課題】
【０００６】
しかしながら、携帯用工具のナット取り外し用ソケットは、各メーカごとにホイルナットの２つの穴間距離が異なることがあり、別のメーカの携帯用工具に使用する際には、別のソケットを使用する必要があり、煩雑な作業となっていた。
【０００７】
本発明の目的は、２つの穴間距離が異なるホイルナットに対して、工具点数と交換作業の工数を抑えた先端工具を提供することにある。
【課題を解決するための手段】
【０００８】
一方の面から所定の間隔を有して突出する一対の突出部と、他方の面に前記所定の間隔と異なる間隔を有して形成された一対の穴部を備えたソケットを、本体部に着脱可能とし、ソケットを構成した。
【発明の効果】
【０００９】
ソケットを本体部に着脱可能とし、任意の間隔を有する先端工具を提供できるので、本体部をインパクトドライバなどの電動工具から外す手間が省け、作業性良く別メーカの携帯用工具のホイルナットを取り外すことができる。
【図面の簡単な説明】
【００１０】
【図１】本発明の実施の形態に係るソケット１００の本体部１１であり、（ａ）底面図、（ｂ）断面図である。
【図２】本発明の実施の形態に係るソケット１００のソケットアダプタ１であり、（ａ）底面図、（ｂ）Ｃ−Ｄ−Ｃ断面図である。
【図３】本発明の実施の形態に係るソケット１００の断面図である。
【図４】本発明の別の実施の形態に係るソケット２００のソケットアダプタ２１であり、（ａ）底面図、（ｂ）Ｇ−Ｆ−Ｇ断面図、（ｃ）Ｈ−Ｈ断面図である。
【図５】本発明の実施の形態に係るソケット２００の断面図である。
【発明を実施するための形態】
【００１１】
本発明の実施の形態に係るナット取り外し用ソケットアダプタ（以下、単にソケットアダプタと呼ぶ）及びソケットについて図面を用いて説明する。なお、以下の図においてソケットアダプタ１、本体部１１及びソケット１００の先端側と後端側は、図１に示す左右方向であるとして説明する。図１（ａ）は本発明の実施の形態に係る本体部１１を先端側から見た底面図であり、図１（ｂ）は断面図である。ソケット１００の本体部１１は、円筒状の先端部分を構成するフランジ部１２Ｂと、フランジ部１２Ｂの後端側に接続される取付部１２Ａと、フランジ部１２Ｂの先端側に形成される２つの円穴１４に圧入されるピン１３とによって構成される。取付部８は、駆動源となる動力工具に取り付けるための断面が六角形の、いわゆる六角軸であり、例えばソケット１００をインパクトドライバなどの動力工具の六角取付口（チャック）に装着することができる。
【００１２】
フランジ部１２Ｂは、取付部８に対してその径が大きい略円筒状とされており、フランジ部１２Ｂの内部には回転軸方向に貫通する孔部１５が形成される。また、フランジ部１２Ｂは、鉄等の磁性材料により構成される。取付部１２Ａは、孔部１５の後端側に圧入されて相対回転不能に取り付けられ、動力工具の回転力が取付部１２Ａを介してフランジ部１２Ｂに伝達される。孔部１５の先端側は、先端凹部を構成している。フランジ部１２Ｂの孔部１５を挟んで対向する両側には、フランジ部１２Ｂの先端面から所定量だけ突出するピン１３が設けられる。
【００１３】
本体部１１の回転中心と、対向するピン１３は、底面からの軸方向視においてそれぞれ直線上に並んで配置されており、すなわち、回転軸と平行な同一の平面上に配置されている。対向するピン１３の回転中心からの距離はそれぞれ略等しく配置され、対向するピン１３間は所定の距離Ａを有するよう構成されている。本体部１１によれば、グラインダ等の動力工具において、距離Ａの間隔を有する穴部を備えたホイルナット（工具保持部）に対して、その着脱を行うことが可能となる。
【００１４】
次に、図２に示される本発明のソケットアダプタ１について説明する。図２（ａ）は先端側からの方向視における底面図、図２（ｂ）は、説明のため後述する孔部３とピン４が同時に表れるＣ−Ｄ−Ｃ断面である。ソケットアダプタ１は、円柱形状をなし、後端にボス部５が形成され、ボス部５を挟んだ２箇所の対向する位置に軸方向に貫通する孔部３が形成されている。孔部３は、ピン１３が挿入可能とされ、先述の本体部１１のピン１３間の所定の距離Ａと同じか若干小さい距離Ａ’を有し、内径が本体部１１のピン１３より若干大きく形成されている。尚、孔部３は、後端から十分に深く凹んだ凹部としてあれば軸方向に貫通する必要はなく、また円径でなく他の形状や、外周と接続されて切欠き状となっていても良い。また、上記のように後端面から先端面側に離れる方向に延びる係合溝部に限らず、後端面から突出する係合突部を２箇所以上備えていても良い。すなわち、孔部３の役割として、後端側から回転動力を受けられればよく、少なくとも本体部１１のピン１３と周方向に係合する構造であればよい。
【００１５】
対向する孔部３の周方向間には、同じく対向する孔部７が形成されている。孔部７にはピン４が圧入されて固定されている。対向する孔部３間と対向する孔部７間は、それぞれ回転中心からの距離が等しく、孔部３間と孔部７間は異なる間隔とされている。底面からの軸方向視において、対向する孔部３と回転中心、及び対向するピン４と回転中心は、それぞれ直線上に並んで配置されている。言い換えれば、回転中心と平行な面で対向する孔部３を通る平面に対して、回転中心を通って直交する面上に、２つの孔部７が対向して配置されている。すなわち、一対の孔部３と一対の孔部７（及び後述するピン４）が周方向にずれて配置され、９０度回転する位置毎に交互に表れる位置関係となっており、各々の役割を軸方向に重ねないことで、ソケットアダプタ１の軸方向の厚みを抑制している。そして、ソケットアダプタ１の後端面に設けられた係合部を凹部や貫通孔等の係合溝部としていることで、ピン４を保持する孔部の周壁を利用することができる。ピン４は係合部を避ける必要が無いため保持部の軸方向長を長くすることができ、ピン４を安定して保持することができる。２つの孔部７は、その中心が距離Ａと異なる所定の距離Ｂを有しており、孔部７にはそれぞれ、ソケットアダプタ１の先端面から所定量だけ突出するピン４が圧入されている。ボス部５は、本体部１１の孔部１５より直径が若干大きく形成され、ソケットアダプタ１の円柱部からの突出量が、本体部１１の孔部１５の先端側の深さより小さく構成される。本発明のソケットアダプタ１は、磁性材料として例えば鉄等の強磁性体からなるとともに、後端側で磁束を発生するよう、全体が着磁されて構成される。
【００１６】
図３は本発明の実施の形態のソケットアダプタ１を、本体部１１に取り付けてソケット１００を構成した状態を示す断面図である。ソケットアダプタ１は、本体部１１の先端側に着脱可能に接続され、本体部１１の孔部１５にソケットアダプタ１のボス部５が嵌め込まれると共に、本体部１１の対向するピン１３がソケットアダプタ１の同じく対向する孔部３に差し込まれることで、本体部１１の先端面とソケットアダプタ１の後端面が密接する形態で構成される。ソケットアダプタ１のボス部５は、本体部１１に対して精度良く略同径として形成されて嵌合することで、本体部１１の回転中心とソケットアダプタ１の回転中心との位置決めを正確に行うことができると共に、抜け止めとしての効果も備えている。
【００１７】
一方、本体部のピン１３は、本体部１１のピン１３を別体の部品とすることで、ピン１３の製造を容易としながら強度を向上させる構造とできる。また、ピン１３の外径はソケットアダプタ１の孔部３の内径に対して若干小さく遊嵌する構成とされているため、着脱作業をスムーズとしている。すなわち、外周側のピン１３と中心のボス部５の役割を分け、ピン１３を主に回転力の伝達のために用い、ボス部５を芯出しに用いており、中心側のボス部５により回転中心との位置決め精度を向上させることで、本体部１１からソケットアダプタ１への回転力の伝達を安定して行うことができる。
【００１８】
ソケットアダプタ１は、作業者が容易に着脱できる程度の磁束を発生するように着磁されており、本体部１１も磁性材料によって構成されていることから、互いに吸着し、作業中に安定した保持が行えるよう構成されている。すなわち、ソケットアダプタ１は、本体部１１からの磁力による抜け止め手段として作用するため、簡便な構造であり、抜け止めのための部品点数の増加を抑制できる。抜け止め手段は磁力に限らず、係止等他の手段が設けられてもよく、例えばボス部５の外周と孔部１５の内周の何れか又は両方に、半径方向に進退可能な係止部、又は変形可能な突起等が設けられていても良い。
【００１９】
このように構成されたソケット１００によれば、その軸部１２Ａが動力工具（例えばインパクトドライバ）の先端工具保持部に装着されて使用され、作業工具の作業具（例えばディスクグラインダのダイヤモンドカッター）を取り外す場合等において、作業具を固定しているホイルナットに形成された４つの穴部のうちの相対向する２つにピン１３を嵌合させ、一方の手（左手）で作業工具を持ち、他方の手（右手）で動力工具を持って駆動し、作業工具の回転力をホイルナットに伝達してホイルナットを緩めるために使用され、距離Ａの孔部を有するホイルナットに対して本体部１１により着脱作業を行うことができる。そして、距離Ｂの孔部を有するホイルナットの着脱作業を続けて行う際に、本体部１１を動力工具から取り外して距離Ｂを有する他のソケットと交換する必要がなく、本体部１１を動力工具に取り付けたままソケットアダプタ１を本体部１１の先端部に差し込んで装着するのみで済むため、作業の効率化が図れる。
【００２０】
本発明によれば、ソケットアダプタ１は、本体部１１の２箇所のピン１３と同じ距離Ａにガタがでない程度にピン１３より少し大きい径の２箇所の貫通穴３と、別メーカの携帯用工具の締付ナットの２箇所の穴（不図示）と同じ距離Ｂの２つのピン４を設けることにより、本体部１１に装着可能、かつ別メーカの携帯用工具の締付ナットの取り外しに対応可能とされる。すなわち、ソケットアダプタ１を用いることにより、ソケット１００の対応する距離Ａを距離Ｂに変換することが可能となっている。尚、図示はしないが、距離Ａとも距離Ｂとも異なる距離Ｃを有するソケットアダプタ１’を更に備え、相手のホイルナットの穴間距離に合わせて任意に差し替えることで、更に任意の作業に対応することも可能となる。
【００２１】
次に、本発明の第２の実施の形態に係るソケット２００及びソケットアダプタ２１について図４、図５を用いて説明する。第１の実施形態であるソケットアダプタ１とソケットアダプタ２１との特に顕著な相違点は、ボス部５を備えない点、及び磁石２６を備える点である。また、本体部１１は共通であり、繰り返しの説明は省略する。図４（ａ）はソケット２１の低面図、図４（ｂ）は図４（ａ）において回転中心を通るＧ−Ｆ−Ｇ断面図、図４（ｃ）は図４（ａ）のＨ−Ｈ断面図である。図４（ｂ）は、後述する孔部２３とピン２４が同時に表れる断面としている。また、図５は本体部１１にソケットアダプタ２１を取付けた状態において、中心軸Ｏを通り、ピン１３と後述する磁石２６が同時に表れる断面である（図４（ａ）のＧ−Ｆ−Ｈに相当）。ソケットアダプタ２１は、円柱形状をなし、後端面にソケットアダプタ２１の２箇所の対向する位置に有底の穴部２３が形成されている。ソケットアダプタ２１の前端面には、周方向において穴部２３の軸方向間の対向する位置に穴部２７が形成され、所定の量だけ突出する構成でピン２４が圧入されて配置されている。穴部２３は本体部１１のピン４より若干大きい径を有し、ピン４間の距離Ａと同じか挿入可能な範囲で若干小さい距離Ａ’を有する。ピン２４の中心は、距離Ａと異なる距離Ｌに形成されている。
【００２２】
本実施の形態においては、ソケットアダプタ２１の後端面に、周方向の穴部２３とピン２４との間に、対向して形成される穴部２８を備え、穴部２８にはフェライト磁石やネオジム磁石等の永久磁石２６が埋設されて設けられている。この構成によれば、図５に示すように、本体部１１のピン１３とソケットアダプタ２１の穴部２３を合わせて挿入するだけで、本体部１１の先端面とソケットアダプタ２１の後端面が磁気的に接合され、固定される。このような構成によれば、磁石２６を設けるだけの簡単な構成で、本体部１１にソケットアダプタ２１を安定して保持することが可能となる。また、ソケットアダプタ２１自体を磁性材料で構成する必要がないため、軽量安価に構成することができる。尚、磁石２６は、ソケットアダプタ２１の後端面と面一に構成されているが、磁石２６の磁力が十分に生じる範囲であれば、磁石２６と相手材との間にギャップが形成されるようにしてもよく、即ち、ソケットアダプタ２１の後端面の穴部２８を磁石２６より深く設けてもよい。また、ソケットアダプタ２１が磁性体から構成されていれば、磁束が内部を通過することから、必ずしも後端面付近に設ける必要もない。また、磁石２６は、自身と本体部２１との吸着力により脱落しないよう、脱落防止手段が設けられていてもよい。
【００２３】
以上、本発明を実施形態に基づいて説明したが、本発明は上述の実施の形態に限定されるものではなく、その趣旨を逸脱しない範囲内で種々の変更が可能である。例えば、ソケットアダプタ１、ソケットアダプタ２１において、本体部１１のピン１３が挿入される孔部３を貫通孔として設けたが、有底の穴部であっても良い。また、本体部１１のピンの間隔Ａに対してソケットアダプタ１、２１のピンの間隔Ｂを大きく構成したが、間隔Ｂを間隔Ａより小さい関係とされていてもよい。また、ソケットアダプタ１、２１により磁束を発生させるようにしたが、本体部に磁束発生手段を設け、ソケットアダプタを吸着するようにしてもよい。これによれば、ソケットアダプタが安価且つ軽量となるため、本体部を共通として、異なるピン間距離を有する複数種のソケットアダプタを容易に揃えることができる。
【符号の説明】
【００２４】
１      ソケットアダプタ
３      孔部
４      ピン
５      ボス部
１１    本体部
１２Ａ  取付部
１２Ｂ  フランジ部
１３    ピン
１４    孔部
１５    孔部
２３    穴部
２４    ピン
２６    磁石
１００  ソケット
【図１】
2016168656.tif 000003
【図２】
2016168656.tif 000004
【図３】
2016168656.tif 000005
【図４】
2016168656.tif 000006
【図５】
2016168656.tif 000007